(57)【特許請求の範囲】
【請求項１】
布地を巻き付け可能なトルソーであって、
胴体部の背面に第１の開口部が形成され、
前記第１の開口部を覆うように設けられた弾性部材を有し、
前記弾性部材には曲線状の波型の切込みが形成され、
前記波型の切込みは、前記第１の開口部から露出することを特徴とするトルソー。
【請求項２】
布地を巻き付け可能なトルソーであって、
腕部に直線状の切込みが形成され、
胴体部の背面に第１の開口部が形成され、
前記第１の開口部を覆うように設けられた弾性部材を有し、
前記弾性部材には曲線状の波型の切込みが形成され、
前記波型の切込みは、前記第１の開口部から露出することを特徴とするトルソー。
【請求項３】
請求項２において、
前記布地は、少なくとも前記胴体部に巻き付けられる第１の巻き付け部と前記腕部に巻き付けられる第２の巻き付け部とから形成されていることを特徴とするトルソー。
【請求項４】
請求項１乃至請求項３のいずれか一項において、
前記波型の切込みは、前記第１の開口部の長辺方向に沿って形成されていることを特徴とするトルソー。
【請求項５】
請求項１乃至請求項４のいずれか一項において、
前記第１の開口部の周囲には少なくとも２つの突起を有し、
前記弾性部材は、前記突起と対向する位置に少なくとも２つの第２の孔部を有することを特徴とするトルソー。
【請求項６】
請求項５において、
前記弾性部材を固定する固定部材を有し、
前記固定部材には前記波型の切込みと対向する位置に、前記第１の開口部と同形・同大の第２の開口部を有し、前記第２の開口部の周囲であり前記突起と対向する位置に第３の孔部を有することを特徴とするトルソー。
【発明の詳細な説明】
【技術分野】
【０００１】
本発明は、布地（衣服）の着せ替え遊びを行うためのトルソーに関するものである。
【背景技術】
【０００２】
一般的に、布地（衣服）を様々に着せ替えて遊ぶためのトルソーにおいて、同じ布地（衣服）を用いて大きさや形状の異なるトルソーへの着せ替えを行うとサイズが合わず不恰好となってしまっていた。また、大きさや形状の異なるトルソーを用いて着せ替えを行う場合には、別途布地（衣服）を複数枚用意する必要があり不経済であった。
【０００３】
このような問題を解決するために、マネキン人形の背面に凹状のくぼみを形成し、該くぼみの内側の両側面に弾性体を対向させた直線的なスリットが形成されるマネキン人形が提案されている（例えば、特許文献１）。このようなマネキン人形を用いることにより、衣服を着せたときに生じる布地の弛み部分を背面のスリット部分に挟み込むことができ、衣服のサイズ調整を容易に行うことができる。
【特許文献１】実開昭５５−３８９１４号公報
【発明の開示】
【発明が解決しようとする課題】
【０００４】
しかしながら、特許文献１に記載のマネキン人形においては、布地を挟み込むスリットは直線的に設けられているため、挟み込んだ布地が外れ易く、布地（衣服）のサイズ調整を行うためのマネキン人形としては使いづらいものであった。また、マネキン人形の背面のくぼみに設けられた弾性体は、くぼみの内側の両側面に弾性体を対向に設けただけであるため挟み込んだ布地が弛み易く、簡単にスリットから布地が外れてしまう可能性があった。また、弛んだ布地の再度の挟み込み、及び取り外しの繰り返しにより、簡単に弾性体がくぼみの両側面から外れてしまう可能性があった。
【０００５】
また、長袖の衣服をディスプレイ可能なマネキン人形においては、マネキン人形のサイズに合わせて衣服のサイズ調整が可能な仕様は提案されていなかった。
【０００６】
本発明は上記課題に鑑みてなされたものであり、複数サイズの布地を傷めることなく確実に巻き付けることができるトルソーを提案することを目的とする。さらに、長袖の衣服を人形のサイズに合わせてディスプレイ可能なトルソーを提案することを目的とする。
【課題を解決するための手段】
【０００７】
本発明のトルソーは、布地を巻き付け可能なトルソーであって、胴体部の背面に第１の開口部が形成され、第１の開口部を覆うように設けられた弾性部材を有し、弾性部材には曲線状の波型の切込みが形成され、該波型の切込みは、第１の開口部から露出している。さらに、腕部の背面に直線状の切込みが形成されていてもよい。
【０００８】
なお、弾性部材に設けられた曲線状の波型の切込みは、第１の開口部の長辺方向に沿って形成されていることが好ましい。さらに、第１の開口部の周囲には少なくとも２つの突起を有し、弾性部材は、突起と対向する位置に少なくとも２つの第２の孔部を有することが好ましい。また、弾性部材を固定する固定部材を有し、固定部材には波型の切込みと対向する位置に、第１の開口部と同形・同大の第２の開口部を有し、第２の開口部の周囲であり突起と対向する位置に第３の孔部を有することが好ましい。
【発明の効果】
【０００９】
本発明のトルソーは、布地を巻き付け可能なトルソーであって、胴体部の背面に曲線状の切込みが形成されているため、トルソーに布地を巻き付け、布地の端部を切込みに押し込む際にも布地を傷めることなく強固に固定することができ、布地のサイズ調整も容易に行うことができる。
【００１０】
また、腕部の背面に直線状の切込みが形成されているため、人形体のサイズを気にすることなく長袖の衣服を着用したマネキン人形を容易に再現することができる。
【発明を実施するための最良の形態】
【００１１】
［実施の形態１］
図１に本発明の実施の形態のトルソー１００の外観構成を示す斜視図を示す。図１に示すトルソー１００は、ボディ（胴体部）１０１と、シャフト１０２と、スタンド１０３と、を有する。図１において、シャフト１０２の一方側をボディ（胴体部）１０１に固定し、シャフト１０２の他方側をスタンド１０３に固定することにより、トルソー１００のボディ（胴体部）１０１を安定して支持することができる。
【００１２】
図２に、図１に示すトルソー１００のボディ（胴体部）１０１を分解したときの模式図を示す。本発明の実施の形態において、ボディ（胴体部）１０１は、背面部材２０１と、弾性部材２０２と、固定部材２０３と、前面部材２０４と、を有する。
【００１３】
ここで、背面部材２０１は、トルソー１００の背中部分に相当する部材であり、ウエスト（肋骨の下から腰骨の間でくびれている部分）に向かって湾曲した曲面になっている。この背面部材２０１には第１の開口部２０５が形成されており、この第１の開口部２０５は背筋に沿った縦長の開口になっている。さらに、背面部材２０１の内側（前面部材２０４と対向する側）において第１の開口部２０５の周囲に突起２０６が形成されている。なお、突起２０６の個数は特に限定されるものではないが、２つ以上設けることが好ましい。
【００１４】
また、弾性部材２０２は、中央部分に長辺方向に沿った波型の切込み２０７が形成されており、切込み２０７の周囲に第１の孔部２０８が設けられている。なお、第１の孔部２０８は、背面部材２０１に設けられた突起２０６に対向する位置に設けられており、弾性部材２０２の第１の孔部２０８に、背面部材２０１に設けられた突起２０６を嵌め込むことにより、背面部材２０１の第１の開口部２０５を背面部材２０１の内側から覆うように弾性部材２０２を固定することができる。なお、弾性部材２０２は、例えばシリコーン樹脂などを用いることができるが、弾性を有する材料であれば特にこれに限定されるものではない。
【００１５】
また、固定部材２０３は、中央部分に第１の開口部２０５とほぼ同形・同大の第２の開口部２０９が形成されており、第２の開口部２０９の周囲に第２の孔部２１０が設けられている。なお、第２の孔部２１０は、弾性部材２０２に設けられた第１の孔部２０８及び背面部材２０１に設けられた突起２０６に対向する位置に設けられており、固定部材２０３の第２の孔部２１０に、背面部材２０１に設けられた突起２０６を嵌め込むことにより、背面部材２０１に、弾性部材２０２を固定することができる。ここで、固定部材２０３は必ずしも用いる必要はないが、固定部材２０３を用いることにより弾性部材２０２を簡単により強固に背面部材２０１に固定することができ、また、弾性部材２０２に形成された切込み２０７による布地の保持力が低下した場合にも、背面部材２０１から固定部材２０３を取り外すだけで容易に、他の弾性部材に交換することが可能となる。
【００１６】
また、固定部材２０３に形成された第２の開口部２０９は、背面部材２０１に形成された第１の開口部２０５と対向する位置に設けられており、固定部材２０３を背面部材２０１に嵌め込んだときに、弾性部材２０２に形成された波型の切込み２０７が、第２の開口部２０９及び背面部材２０１に設けられた第１の開口部２０５の中央付近に配置されるようになるので、この波型の切込み２０７は第１の開口部から露出する。また、固定部材２０３の弾性部材２０２と接する側３０１は、図３に示すように背面部材２０１の形状に一致するように形成されている。このように固定部材２０３の形状を背面部材の形状と合わせることにより、より強固に弾性部材２０２を固定することができる。
【００１７】
また、前面部材２０４は、トルソーの胸部及び腹部に相当する部材であり、背面部材２０１と組み合わせることによりボディ（胴体部）１０１を形成することができる。
【００１８】
本発明の実施の形態に示すトルソーにおいて、弾性部材２０２に波型のような曲線状の切込み２０７が形成されているため、布地を巻き付けた際（衣服を着せた際）に生じる布地の弛み部分を弾性部材２０２に形成された切込み２０７に挟み込んだとき、布地が切込み２０７から外れたり、ずり落ちたりすることがなく強固に固定することができる。
【００１９】
なお、弾性部材２０２に形成された切込み２０７の形状は、本実施の形態に示す波型のような曲線状であることが好ましい。切込み部分の形状がジグザグ型やコの字型等のような角部を有する形状の場合、布地を挟み込んだときに布地を傷める可能性が高い。しかしながら、波型のような曲線状である場合、布地を挟み込んだときに布地を傷めることがない。なお、例えば切込みを円弧型とした場合は、その円弧は弾性部材の長辺方向に沿って右、若しくは左のいずれか一方にしか振れないことになるので布地を強固に固定することは難しい。よって、切込みは弾性部材の長辺方向に沿って左右に振れる波型とすることが好ましい。また、波型の切込み２０７は、弾性部材２０２の長辺方向に沿って形成されていることが好ましく、このように形成することにより布地（衣服）を挟み込む領域が広くなり、強固に布地（衣服）を固定することができる。なお、布地をさらにより強固に固定するために、弾性部材２０２の厚みを厚くして弾性部材２０２に形成された切込み２０７における弾性部材２０２と布地との接触面積を大きくするようにしてもよい。
【００２０】
なお、弾性部材２０２の切込み２０７に布地（衣服）を挟み込むときに、図４に示すような押込み部材４０１を用いるとよい。押込み部材４０１は、先端部４０２が尖形となっているため、弾性部材２０２に形成された波型の切込み２０７にはまり易く、トルソーに布地を巻き付けた際（衣服を着せた際）に生じる弛んだ布地を弛みなく押し込むことができる。
【００２１】
図５に、本発明の実施の形態のトルソー１００の使用形態の一例を示す。図５（Ａ）に示すように、長方形の布地５０１をトルソー１００に巻き付け、布地５０１の端部を弾性部材２０２に形成された波型の切込み２０７に押し込んで固定することにより、トルソーのサイズに合った布地（衣服）を身に着けているように見せることができる（図５（Ｂ））。本発明の実施の形態では、弾性部材２０２に波型の切込み２０７を設けたことにより、布地をより強固に固定することができる。これにより図５に示すように、既成の衣服に限らず、単なる長方形の布地を挟み込んだ場合でも、布地の端部が切込み２０７から抜け落ちたり滑り落ちたりすることなく固定することができる。よって、既成の衣服を購入しなくても様々な布地を組み合わせることで使用者が好みのコーディネイトを楽しむことができるようになり遊び方の幅が広がり、より楽しい遊びを楽しむことができる。
【００２２】
また、トルソー１００に巻き付けることが可能な布地の形状は様々な形状が可能であり、例えば、図６に示すような布地６０１を用いることが可能である。図６に示すように長方形状の布地に、ボディ（胴体部）１０１の首部を差し込み可能なように開口部が形成されており、長辺側に開口部の中心付近へ向かって曲線状の切り込みが左右対称に設けられている。曲線状の切り込み部分を正面側にしてボディ（胴体部）１０１に巻き付けることにより図７に示すようなボレロ状の服装を表現することができる。
【００２３】
なお、本実施の形態では、背面部材２０１と弾性部材２０２とを別々の部材を用いて形成しているが、トルソーを単一部材で構成し、トルソーの背面に曲線状の切込みを形成するだけでもよく、また背面部材２０１と弾性部材２０２とが一体化された部材を用いてもよい。さらに、本発明の実施の形態では、背面部材２０１と前面部材２０４とを組み合わせることにより、ボディ（胴体部）１０１を形成しているが、必ずしも分離したものを組み合わせる必要はなく、背面部材２０１と前面部材２０４とが一体化された部材を用いてもよい。
【００２４】
以上説明したように本発明の実施の形態に示すトルソー１００において、背面部材２０１に設けられた第１の開口部２０５を覆うように、曲線状の切込み２０７を有する弾性部材２０２が設けられているため、布地を傷めることなく強固に固定することができ、衣服のサイズ調整を容易に行うことができ、また遊びの興趣性を高めることが可能である。また、弾性部材２０２に設けられた第１の孔部２０８に、トルソー１００の背面部材２０１に設けられた第１の開口部２０５の周辺に設けられた突起２０６を嵌め込むことにより弾性部材２０２を背面部材２０１に固定しているため、弾性部材２０２がより強固に固定された丈夫なトルソーを提供することができる。
【００２５】
［実施の形態２］
図８に、本実施の形態のトルソー８００の外観構成を示す斜視図を示す。図８に示すトルソー８００は、ボディ（胴体部）１０１と、シャフト１０２と、スタンド１０３と、を有する。図８に示すトルソー８００は、図１に示すボディ１０１に、背面に直線状の切込み８０２が形成された腕部８０１が接続された構成となっている。なお、本実施の形態において、ボディ１０１、シャフト１０２、スタンド１０３は、実施の形態１と同様の構成が可能であるため省略する。
【００２６】
本発明の実施の形態に示すトルソーにおいて、巻き付けられた布地の余り部分を、ボディ（胴体部）１０１の背面に形成された曲線状の切込みと、腕部８０１の背面に形成された直線状の切込み８０２とに挟みこむことによって、長袖の衣服を着用したマネキン人形を再現することができる。
【００２７】
例えば、図９に示すような少なくともボディ（胴体部）１０１に巻き付けられる第１の巻き付け部９０２と前記腕部８０１に巻き付けられる第２の巻き付け部９０１とから形成された布地９００を巻き付けることにより、図１０に示すような長袖のカーディガンを着用したマネキン人形を再現することができる。なお、トルソー８００に巻き付けることが可能な布地の形状は様々な形状が可能であり、図９に示すものに限られない。
【００２８】
なお、腕部８０１は、少なくとも切込み部分の周囲に弾性を有する部材を用いて形成することが好ましい。
【００２９】
本発明の実施の形態に示すトルソー８００において、腕部の背面に直線状の切込みが形成されているため、人形体のサイズを気にすることなく長袖の衣服を着用したマネキン人形を容易に再現することができる。さらに、胴体部の背面に曲線状の切込みが形成されているため、布地を傷めることなく強固に固定することができ、衣服のサイズ調整を容易に行うことができ、また遊びの興趣性を高めることが可能である。
【図面の簡単な説明】
【００３０】
【図１】本発明の人形体の構成を説明するための図。
【図２】本発明の人形体の構成を説明するための図。
【図３】本発明の人形体の部材の構成を説明するための図。
【図４】本発明の人形体の部材の構成を説明するための図。
【図５】本発明の人形体の使用形態を説明するための図。
【図６】本発明の人形体に使用可能な布地の形状を説明するための図。
【図７】本発明の人形体の使用形態を説明するための図。
【図８】本発明の人形体の構成を説明するための図。
【図９】本発明の人形体に使用可能な布地の形状を説明するための図。
【図１０】本発明の人形体の使用形態を説明するための図。
【符号の説明】
【００３１】
１００    トルソー
１０１    ボディ
１０２    シャフト
１０３    スタンド
２０１    背面部材
２０２    弾性部材
２０３    固定部材
２０４    前面部材
２０５    第１の開口部
２０６    突起
２０７    切込み
２０８    第１の孔部
２０９    第２の開口部
２１０    第２の孔部
【要約】
【課題】複数サイズの布地を傷めることなく確実に巻き付けることができるトルソーを提案することを目的とする。
【解決手段】
布地を巻き付け可能なトルソーであって、背面に曲線状の切込みを形成している。なお、背面の少なくとも切込みの周囲は弾性部材により形成されていることが好ましい。また、背面に第１の開口部が形成され、第１の開口部を覆うように設けられた弾性部材を有し、弾性部材には曲線状の切込みが形成され、切込みは、第１の開口部から露出する。この切込みは、第１の開口部の長辺方向に沿って形成されていることが好ましい。さらに、第１の開口部の周囲には少なくとも２つの突起を有し、弾性部材は、突起と対向する位置に少なくとも２つの第２の孔部を有する。また、弾性部材を固定する固定部材を有し、固定部材には切込みと対向する位置に、第１の開口部と同形・同大の第２の開口部を有する。
【選択図】図２【図１】
0004318739.tif 000002
【図２】
0004318739.tif 000003
【図３】
0004318739.tif 000004
【図４】
0004318739.tif 000005
【図５】
0004318739.tif 000006
【図６】
0004318739.tif 000007
【図７】
0004318739.tif 000008
【図８】
0004318739.tif 000009
【図９】
0004318739.tif 000010
【図１０】
0004318739.tif 000011